(57)【要約】      （修正有）【課題】使用者がベンチカウンターのどの位置に着座した場合であっても背当て部を利用することができるとともに、移動する際に、背当て部が邪魔になることなく手摺を利用することが可能な浴室ユニットを提供する。【解決手段】浴槽２と、浴槽２と隣接する位置に設けられた洗い場床１と、洗い場側に位置する第３の壁面４に固定され、浴槽２と第１の壁面５とを繋ぐように設けられた着座可能なベンチカウンター３と、第３の壁面４に固定され、ベンチカウンター３の上方側から浴槽２の上方側に向かって延在形成された手摺１１と、前記ベンチカウンター３に着座した使用者が背を凭れることが可能な背当て部材９と、を備えた浴室ユニットであって、背当て部材９は、手摺１１に対して位置変更可能に取り付けられている。【選択図】図１
2012200259.tif 000002
【特許請求の範囲】
【請求項１】
浴槽と、
前記浴槽と隣接する位置に設けられた洗い場床と、
前記洗い場床を隔てて前記浴槽に向き合う第１の壁面と、
前記洗い場床および浴槽を隔てて前記第１の壁面に向き合う第２の壁面と、
前記第１の壁面の端部と前記第２の壁面の端部とを繋ぐ第３の壁面と、
前記洗い場側に位置する前記第３の壁面に固定され、前記浴槽と前記第１の壁面とを繋ぐように設けられた着座可能なベンチカウンターと、
前記第３の壁面に固定され、前記ベンチカウンターの上方側から前記浴槽の上方側に向かって延在形成された手摺と、
前記ベンチカウンターに着座した使用者が背を凭れることが可能な背当て部材と、を備えた浴室ユニットであって、
前記背当て部材は、前記手摺に対して取り付けられており、且つ前記手摺に対して位置変更可能に取り付けられていることを特徴とする浴室ユニット。
【請求項２】
前記背当て部材は、前記手摺に対して着脱可能に取り付けられていることを特徴とする請求項１記載の浴室ユニット。
【発明の詳細な説明】
【技術分野】
【０００１】
本発明は、ベンチカウンターを備えた浴室ユニットに関する。
【背景技術】
【０００２】
従来、浴室ユニットの洗い場側に使用者が着座可能なベンチカウンターを備えたものが知られている（例えば特許文献１）。この浴室ユニットによれば、ベンチカウンターに着座した使用者が着座状態で浴槽内に脚を出し入れ可能であるため、洗い場と浴槽内との移乗を楽に行うことができる。また、この浴室ユニットによれば、浴槽側の壁面に手摺が取り付けられており、使用者はこの手摺を掴んで移乗動作ができるため、より移乗性を向上させることができている。
【先行技術文献】
【特許文献】
【０００３】
【特許文献１】特開２００８−１５４９９７号公報
【発明の概要】
【発明が解決しようとする課題】
【０００４】
しかしながら、特許文献１のように、浴槽側の壁面にしか手摺が設けられていないと、ベンチカウンターに着座している使用者が浴槽側から離れた位置に居る場合、手摺が直ぐ近くにないため、手摺による移動のサポートが受けられないこととなる。特に、ベンチカウンタータイプの浴室ユニットの場合、水栓やシャワーフックは浴槽から離れた側の壁面に配置されることが多く、手摺はベンチカウンター側まで延在していることが好ましい。
【０００５】
しかしながら、洗い場カウンターの上方位置に手摺が設けられていると、ベンチカウンターに着座している使用者の背に手摺が触れ、邪魔になる。そのため、手摺よりも前方側に背当て部を設けることが好ましい。この背当て部は、手摺と同様に浴室壁面に対して固定することも考えられるが、構成を簡略化するためには、手摺で支持させることが好ましい。
【０００６】
しかしながら、手摺に対して背当て部を取り付けると、移乗時に背当て部が邪魔となり、肝心の手摺が握れなくなるという課題が発生する。背当て部を移乗時に邪魔にならない浴槽とは離れた側の位置にだけ設けることも考えられるが、浴槽内の湯を利用して洗体や洗髪をする使用者は、浴槽に近い側に着座することとなるため、背当て部に背を凭れることができない。
【０００７】
本発明は上述した課題を解決することを目的とした発明であって、ベンチカウンターの上方側から浴槽の上方側に向かって延在形成された手摺に背当て部が取り付けられた浴室ユニットであって、使用者がベンチカウンターのどの位置に着座した場合であっても背当て部を利用することができるとともに、移動する際に、背当て部が邪魔になることなく手摺を利用することが可能な浴室ユニットを提供することを目的とする。
【課題を解決するための手段】
【０００８】
上記目的を達成するために本発明に係る浴室ユニットは、浴槽と、前記浴槽と隣接する位置に設けられた洗い場床と、前記洗い場床を隔てて前記浴槽に向き合う第１の壁面と、前記洗い場床および浴槽を隔てて前記第１の壁面に向き合う第２の壁面と、前記第１の壁面の端部と前記第２の壁面の端部とを繋ぐ第３の壁面と、前記洗い場側に位置する前記第３の壁面に固定され、前記浴槽と前記第１の壁面とを繋ぐように設けられた着座可能なベンチカウンターと、前記第３の壁面に固定され、前記ベンチカウンターの上方側から前記浴槽の上方側に向かって延在形成された手摺と、前記ベンチカウンターに着座した使用者が背を凭れることが可能な背当て部材と、を備えた浴室ユニットであって、前記背当て部材は、前記手摺に対して位置変更可能に取り付けられていることを特徴とする。
【０００９】
本発明によれば、ベンチカウンターを備えているため、洗い場と浴槽内との移乗を楽に行うことができる。また、ベンチカウンターの上方側から浴槽の上方側に向かって手摺が延在形成されているため、使用者がベンチカウンターのどの位置に着座した場合であっても手摺を利用して移乗できるため、洗い場と浴槽内との移乗をより楽に行うことができる。また、手摺に対して背当て部が取り付けられているため、手摺と背当て部をそれぞれ浴室壁面に固定する支持構造が不要となり、構成を簡略化できる。また、背当て部材は手摺に対して位置変更可能に取り付けられているため、使用者がベンチカウンターのどの位置に着座した場合であっても背当て部を利用することができるとともに、移動する際に、背当て部が邪魔になることなく手摺を利用することができる。
【００１０】
また、本発明に係る浴室ユニットは、前記背当て部材は、前記手摺に対して着脱可能に取り付けられていることも好ましい。
【００１１】
この好ましい態様によれば、前記背当て部材を手摺から着脱できるため、背当て部材を手摺から分離して清掃することができる。
【発明の効果】
【００１２】
本発明によれば、ベンチカウンターの上方側から浴槽の上方側に向かって延在形成された手摺に背当て部が取り付けられた浴室ユニットであって、使用者がベンチカウンターのどの位置に着座した場合であっても背当て部を利用することができるとともに、移動する際に、背当て部が邪魔になることなく手摺を利用することが可能な浴室ユニットを提供することができる。
【図面の簡単な説明】
【００１３】
【図１】本発明の一実施形態を示す浴槽ユニットの斜視図である。
【図２】本発明の一実施形態を示す浴槽ユニットの斜視図である。
【図３】本発明の一実施形態を示す浴槽ユニットの斜視図である。
【図４】本発明の背当て部材の着脱構造を示す斜視図である。
【発明を実施するための形態】
【００１４】
以下図面を参照し、本発明の実施形態について説明する。
【００１５】
図１は本発明の実施形態に関わる浴室ユニットにおける浴室内の斜視図である。
【００１６】
本実施形態に関わる浴室ユニットは、主として、洗い場床１と、洗い場床１と隣接する位置に配置された浴槽２と、洗い場床１および浴槽２の周囲に立設された複数の壁パネルと、壁パネルの上部に設置される天井パネル（図示しない）とから構成されている。
【００１７】
壁パネルは、洗い場床１を隔てて浴槽２に向き合う第１の壁面５と、洗い場床１および浴槽２を隔てて第１の壁面５に向き合う第２の壁面１５と、第１の壁面５の一端部と第２の壁面の一端部１５とを繋ぐ第３の壁面４と、第１の壁面５の他端部と第２の壁面１５の他端部とを繋ぐ第４の壁面（図示しない）とから構成されている。
【００１８】
本実施形態では、洗い場床１側に位置する第３の壁面４に使用者が着座可能な支持強度を有するベンチカウンター３が固定されている。このベンチカウンター３の上面は、浴槽２の上面と略同じ高さに配置されており、ベンチカウンター３に着座した使用者が着座状態で浴槽２内に脚を出し入れ可能となっている。このベンチカウンター３は、第３の壁面４と、図示しない支持脚を洗い場床１に接地させて支持することで、使用者の体重に耐えうる支持強度を有している。
【００１９】
また、第１の壁面５のベンチカウンター３側近傍位置には、図示しないシャワーホースが具備された水栓装置６と、シャワーフック７が取り付けられている。第１の壁面５に水栓装置６やシャワーフック７が取り付けられているため、使用者がベンチカウンター３に着座した状態においてこれら部材が使用者の身体に当たることを防止できる。また、上述したベンチカウンター３は、浴槽２と第１の壁面５とを繋ぐように幅広に形成されているため、水栓装置６を使用して洗髪や洗体を行う使用者はベンチカウンター３の第１の壁面５側に着座することができ、浴槽内水を使用して洗髪や洗体を行う使用者はベンチカウンター３の浴槽２側に着座することができる。
【００２０】
また、浴槽２上面およびベンチカウンター３の上方に位置する第３の壁面４には、幅広の手摺１１が取り付けられている。この手摺１１は、第１の壁面５の近傍と第２の壁面側１５の近傍とを繋ぐように設けられている。よって、使用者がベンチカウンター３のどの位置に着座する場合であっても手摺１１を利用して浴槽２とベンチカウンター３との間を移動できる。この手摺１１の取り付けは、立位と座位姿勢で浴槽２に移動する際に使用しやすい位置に取り付けることが好ましい。
【００２１】
また、手摺１１には、ベンチカウンター３に着座した使用者が背を凭れることが可能な背当て部材９がスライド可能、且つ着脱可能に取り付けられている。この背当て部材９は、発泡ポリスチレンなどのクッション性を有する材質で形成されている。手摺１１に背当て部材９が取り付けられた状態においては、手摺１１よりも背当て部材９の方が前方側に配置可能であるため、ベンチカウンター３に着座した使用者は、手摺１１が邪魔になることなく、クッション性を有する背当て部材９に背を当てて、ベンチカウンター３に座ることができる。
【００２２】
また、手摺１１に対して背当て部材９がスライド可能に取り付けられているため、水栓装置６を使用するためにベンチカウンター３の第１の壁面５側に着座した場合には、図２のように、背当て部材９を第１の壁面５側に移動させて使用することができる。
【００２３】
また、浴槽内水を使用するためにベンチカウンター３の浴槽２側に着座した場合には、図１のように背当て部材９を浴槽２側に移動させて使用することができる。尚、この場合、ベンチカウンター３と浴槽２との間の移動時に背当て部材９が邪魔となり、肝心の手摺１１が握れなくなることが考えられるが、本実施形態によれば、背当て部材９がスライド可能且つ着脱可能であるため、手摺１１使用の邪魔にならない位置に背当て部材９を移動させることができる。
【００２４】
また、図３のように、背当て部材９を浴槽２の上方位置に移動させることで、浴槽２の上面（リム面）に座りながら、背当て部材９を利用して、浴槽２のリム面に座位姿勢をとった際、第３の壁面４側に直接触れずに凭れることも可能となる。
【００２５】
また、手摺１１に対して背当て部材９は着脱可能に取り付けられているため、背当て部材９を手摺から分離して清掃することができる。
【００２６】
また、図１のように、手摺１１の上方位置に別途、第２の手摺１０を設け、この第２の手摺１０に対して首当て部材８を、背当て部材９と同様にスライド可能かつ着脱可能に取り付けるようにしても良い。この場合、ベンチカウンター３に入浴者が座った際に、腰部分と首部分にあたる位置に手摺１０，１１を取り付け、それぞれの手摺１０，１１に背当て部材９と首当て部材８を取り付けることで、入浴者の腰と首部分保持することができ、よりくつろいだ姿勢でベンチカウンター３に着座することができる。
【００２７】
また、背当て部材９と首当て部材８は手摺１０，１１で支持されているため、背当て部材９専用の支持材や首当て部材８専用の支持材を設ける必要がない。このことにより手摺１０，１１の取り付け位置を制限せず、手摺１０，１１の取り付けた箇所に背もたれ部材を取り付けることが可能である。またこの一体の構造により、手摺１０，１１と背当て部材や首当て部材以外のスペースに、収納棚・鏡などその他のものを壁面に取り付けるスペースを確保することができる。
【符号の説明】
【００２８】
１…洗い場床
２…浴槽
３…ベンチカウンター
４…第３の壁面
５…第１の壁面
６…水栓装置
７…シャワーフック
８…首当て部材
９…背当て部材２
１０…第２の手摺
１１…手摺
１５…第２の壁面    
【図１】
2012200259.tif 000003
【図２】
2012200259.tif 000004
【図３】
2012200259.tif 000005
【図４】
2012200259.tif 000006